(57)【要約】  スリット後の金属帯における幅寸法の誤差を小さくすることが可能なスリッタ装置を提供する。  金属帯がコイル状に巻かれた金属帯のコイル体から金属帯を巻出す巻出機と、前記巻出機から巻出された前記金属帯を条取り切断するカッタスタンドと、前記カッタスタンドで切断された前記金属帯をコイル状に巻取る巻取機と、を有する金属帯のスリッタ装置であって、前記スリッタ装置は、前記カッタスタンドの前記金属帯の入り側に隣接し、平面を有するガイド部材で前記金属帯を上下方向から挟むガイド機構を備え、前記ガイド部材の平面同士の距離ｔは、前記金属帯の厚みｗに対し、ｗ＜ｔ≦１４×ｗの関係にあることを特徴とする。
2019059070.tif 000002
【特許請求の範囲】
【請求項１】
金属帯がコイル状に巻かれた金属帯のコイル体から金属帯を巻出す巻出機と、
前記巻出機から巻出された前記金属帯を条取り切断するカッタスタンドと、
前記カッタスタンドで切断された前記金属帯をコイル状に巻取る巻取機と、
を有する金属帯のスリッタ装置であって、
前記スリッタ装置は、前記カッタスタンドの前記金属帯の入り側に隣接し、平面を有するガイド部材で前記金属帯を上下方向から挟むガイド機構を備え、
前記ガイド部材の平面同士の距離ｔは、前記金属帯の厚みｗに対し、ｗ＜ｔ≦１４×ｗの関係にあることを特徴とする金属帯のスリッタ装置。
【請求項２】
前記距離ｔの下限は、前記金属帯の厚みｗに対し、８×ｗであることを特徴とする請求項１に記載の金属帯のスリッタ装置。
【請求項３】
前記ガイド機構は、前記金属帯の側面をガイドする部材を備えないことを特徴とする請求項１または２に記載の金属帯のスリッタ装置。
【請求項４】
前記カッタスタンドは、前記金属帯の両面側のそれぞれで、同軸で回転し、前記金属帯を両面側から挟み込む構造である、複数の回転刃を備え、
前記ガイド部材の少なくとも一方は、前記回転刃を挿入可能な複数の溝を備え、
前記複数の回転刃が前記複数の溝に挿入されて、前記金属帯を切断することを特徴とする請求項１から３のいずれかに記載の金属帯のスリッタ装置。
【請求項５】
前記巻出機と前記ガイド機構との間には、
前記巻出機側に、前記金属帯に一定張力を付与する張力調整ユニットを有し、
前記ガイド機構側に、入り側の前記一定張力と出側の張力とを隔てる張力分離ユニットを有する、ことを特徴とする請求項１〜４のいずれか１項に記載の金属帯のスリッタ装置。
【請求項６】
前記金属帯は、厚みが７μｍ以上５０μｍ以下のアモルファス金属帯であることを特徴とする請求項１〜５のいずれか１項に記載の金属帯のスリッタ装置。
【発明の詳細な説明】
【技術分野】
【０００１】
本発明は、金属帯のコイル体から金属帯を巻出し、狭幅に条取り切断してコイル状に巻取る、金属帯のスリッタ装置に関する。
【背景技術】
【０００２】
スリッタ装置は、通常、金属帯がコイル状に巻かれた金属帯のコイル体から金属帯を巻出す巻出機と、巻出された金属帯を狭幅に条取り切断（スリット）するカッタスタンドと、切断された金属帯をコイル状に巻取る巻取機とを有している。【０００３】
スリッタ装置に関わる技術として、薄肉の鋼板ストリップを巻出機から巻出し、巻き出したストリップを、一旦弛ませてからカッタスタンドに供給する技術が知られている。例えば、特許文献１には、金属帯のコイル体から金属帯を巻出す巻出機と、巻出された前記金属帯を狭幅に条取り切断するカッタスタンドと、切断された金属帯をコイル状に巻取る巻取機と、を有する金属帯のスリッタ装置であって、前記巻出機と前記カッタスタンドとの間には、前記巻出機側に、前記金属帯に一定張力を付与する張力調整ユニットを有し、前記カッタスタンド側に、入り側の前記一定張力と出側の張力とを隔てる張力分離ユニットを有する金属帯のスリッタ装置が開示されている。
【先行技術文献】
【特許文献】
【０００４】
【特許文献１】国際公開第２０１７／０５７５９１号
【発明の開示】
【発明が解決しようとする課題】
【０００５】
特許文献１に記載のスリッタ装置を適用したところ、スリット後の金属帯における幅寸法が、許容範囲を超えて大きくなることがあった。金属帯の幅寸法が許容範囲外になると、例えば、金属帯を積層した磁心が製品規格外になり、使用不可となるなど、金属帯を用いた製品に悪影響を及ぼしてしまう。
本発明者等が幅寸法の誤差が発生する原因を探ったところ、スリット中に金属帯が波状に湾曲していることが原因であることが判った。
つまり、カッタスタンドは、複数の回転刃により金属帯を条取りするものであるが、図１０に示すように、湾曲した金属帯１が回転刃５ａ，５ｂの間に搬送されてスリットされると、カッタスタンドを通過した後の金属帯は内部歪の解放によって平坦になるので、カッタスタンドの刃の間の幅よりも幅広になっていた。【０００６】
本発明は、上記問題に鑑みてなされたものであり、量産に適し、かつ、スリット後の金属帯における幅寸法の誤差を小さくすることが可能なスリッタ装置を提供することにある。
【課題を解決するための手段】
【０００７】
本発明者は、スリット中の金属帯が波状に湾曲しない方法について、検討した。
最初に行ったスリッタ装置の改良案は、図１１に示すように、カッタスタンド５の金属帯の入り側に隣接し、回転刃５ａ，５ｂの手前に、金属帯を上下方向から挟むガイド機構２を設けた。このガイド機構２は、具体的には、金属帯１を平面上で搬送させる搬送台２ｂと金属帯１を上から抑える制振板２ｃを備えさせたものである。制振板２ｃは、支点２ｅを中心に回転可能な状態とし、カッタスタンド５から離れている側を、一端が固定部材２ｄに接続されたバネ２ｆの張力により図面上方に引っ張ることが可能である。これにより、制振板２ｃのカッタスタンド５側が搬送台２ｂに一定の張力で押し当てられた状態となり、金属帯１の湾曲が抑制できると、本発明者は考えた。しかしこの構造のガイド機構を設けたスリッタ装置では、金属帯の湾曲が十分に平坦化されず、金属帯１がその弾性力によって制振板２ｃを押し上げた結果、スリット後の金属帯は所望の幅よりも広くなることがあった。【０００８】
さらなる対策として、上記装置で用いたバネ２ｆをさらに弾性率が高いものに変え、制振板２ｃの押しつける力を強めた。しかしこの場合、金属帯１が滑らなくなって搬送ができなくなったり、金属帯１が搬送中に破断するという問題が起きた。破断した場合は、その都度、金属帯の詰まりを取り除いたり、金属帯の端部をガイド機構を介してカッタスタンド５に通すセッティング作業が発生し、スリット作業が煩雑となった。
また、制振板２ｃと金属帯１が摺動していることから、金属帯１の表面に擦り傷が発生し、外観不良の原因となった。
このように、制振板２ｃの押しつける力を極力強めると、量産上で色々な問題が発生した。【０００９】
そこで本発明者は、平面を有する２つのガイド部材を間隔を空けて固定して配置し、そのガイド部材の間に金属帯を搬送することにより、スリット中の金属帯が波状に湾曲することを抑制できると考え、本発明に到達した。【００１０】
すなわち本発明は、金属帯がコイル状に巻かれた金属帯のコイル体から金属帯を巻出す巻出機と、前記巻出機から巻出された前記金属帯を条取り切断するカッタスタンドと、前記カッタスタンドで切断された前記金属帯をコイル状に巻取る巻取機と、を有する金属帯のスリッタ装置であって、
前記スリッタ装置は、前記カッタスタンドの前記金属帯の入り側に隣接し、平面を有するガイド部材で前記金属帯を上下方向から挟むガイド機構を備え、
前記ガイド部材の平面同士の距離ｔは、前記金属帯の厚みｗに対し、ｗ＜ｔ≦１４×ｗの関係にあることを特徴とする。
前記距離ｔの下限は、前記金属帯の厚みｗに対し、８×ｗであることが好ましい。
また、前記ガイド機構は、前記金属帯の側面をガイドする部材を備えない構造とすることが好ましい。
また、前記カッタスタンドは、前記金属帯の両面側のそれぞれで、同軸で回転し、前記金属帯を両面側から挟み込む構造である、複数の回転刃を備え、前記ガイド部材の少なくとも一方は、前記回転刃を挿入可能な複数の溝を備え、前記複数の回転刃が前記複数の溝に挿入されて、前記金属帯を切断するスリッタ装置の構成とすることができる。
また、前記巻出機と前記ガイド機構との間には、前記巻出機側に、前記金属帯に一定張力を付与する張力調整ユニットを有し、前記ガイド機構側に、入り側の前記一定張力と出側の張力とを隔てる張力分離ユニットを有する構成とすることができる。
また、前記金属帯として、厚みが７μｍ以上５０μｍ以下のアモルファス金属帯を用いることができる。
【発明の効果】
【００１１】
本発明のスリッタ装置は、スリットされた金属帯の幅寸法の誤差を小さくすることができる。そのため、金属帯およびそれを用いた製品の製造において歩留が向上する。
【図面の簡単な説明】
【００１２】
【図１】本発明の一実施形態のガイド機構の一例を示す図である。
【図２】図１のＡ−Ａ断面の模式図である。
【図３】本発明の一実施形態のガイド機構とカッタスタンドの周辺の構成を示す模式図である。
【図４】図３のＢ−Ｂ断面の模式図である。
【図５】本実施形態のスリッタ装置を用いたスリット後の金属帯の幅寸法を示す図である。
【図６】別の本実施形態のスリッタ装置を用いたスリット後の金属帯の幅寸法を示す図である。
【図７】距離ｔとスリット後の金属帯の幅の関係を示す図である。
【図８】比較用の形態のスリッタ装置を用いたスリット後の金属帯の幅寸法を示す図である。
【図９】本発明の一実施形態のスリッタ装置の構成を示す模式図である。
【図１０】従来のカッタスタンドの回転刃５ａ間で湾曲する金属帯１の状態を説明するための図である。
【図１１】参考用のガイド機構とカッタスタンドの周辺の構成を示す模式図である。
【発明を実施するための形態】
【００１３】
以下、本発明の実施形態について、図面を参照しながら説明する。図面において、類似の部品については、従来の技術を含め、複数の図面で同様の符号を用いる。なお、本発明は、この実施形態に限定されるものではない。
図９に、本発明のスリッタ装置の一実施形態を示す。図９に示すスリッタ装置１０は、金属帯がコイル状に巻かれた金属帯のコイル体から金属帯１を巻出す巻出機６と、巻出された金属帯１を条取り切断するカッタスタンド５と、切断された金属帯をコイル状に巻取る巻取機８とを備える。
【００１４】
スリッタ装置１０は、カッタスタンド５の金属帯１の入り側に隣接し、平面を有するガイド部材２ａ，２ｂにより金属帯１を上下方向から挟むガイド機構２を備える。このガイド機構２の概略図を図１に示す。カッタスタンド５とガイド機構２の間には、その他の装置は配置されない。そして、図２に図１のＡ−Ａ断面の模式図を示す。この図２に示すように、このガイド部材２ａ，２ｂの間にはギャップ３が形成され、ガイド部材２ａ，２ｂの平面同士の距離ｔ（以後、単に距離ｔということがある）は、金属帯１の厚みｗ（以後、単に厚みｗということがある）に対し、ｗ＜ｔ≦１４×ｗの関係にある。距離ｔの下限は、８×ｗとすることがさらに好ましい。
この本発明のスリッタ装置は、スリットされた金属帯の幅寸法の誤差を小さくすることができる。そのため、金属帯およびそれを用いた製品の製造において歩留が向上する。また、本発明のスリッタ装置は、巻き取った金属帯の側面(積層面)の平坦度も改善するため外観品質出荷時の荷姿が改善し、その結果、後工程および顧客での取扱い勝手も向上するという効果を有する。
【００１５】
距離ｔは、厚みｗよりも大きくなるように設定する。これにより、ガイド機構と金属帯１を円滑に摺動させられるので、金属帯の搬送を滞らせることがなくなる。一方、距離ｔは、厚みｗの１４倍以下とする必要がある。これにより、金属帯ｗの寸法誤差を小さくできる。詳細は実施例にて後述する。
【００１６】
距離ｔの下限は、金属帯の厚みｗに対し、８×ｗとすることがさらに好ましい。距離ｔの下限値が、厚みｗに対して８倍以上であると、金属帯がスムーズに搬送されて巻出しや巻取が確実に行われ、また、リボンに擦り傷が付くこともなく、さらに金属帯の湾曲を抑制できる点で好ましい。さらに好ましい距離ｔの下限値は１０×ｗである。
また、距離ｔの上限は、厚みｗに対し、１２×ｗとすることがさらに好ましい。距離ｔの上限値が、厚みｗに対して１２倍以下だと、金属帯の幅の寸法精度をさらに高めやすい。
【００１７】
ガイド機構は、例えば、図１に示すように、平板状のガイド部材２ａ、２ｂを用いることができ、ガイド部材２ｂは、金属帯１の搬送用の台として機能し、カッタスタンド５に対して位置が固定されている。ガイド部材２ａは、昇降機能（図示せず）により、ガイド部材２ｂに対して所望の距離ｔだけギャップ３を持つように垂直方向の高さを調整可能であり、金属帯１のスリットされる部位を上方から覆って制振板として機能する。
【００１８】
なお、ガイド部材２ａ，２ｂの平面同士が平行となるように配置されることが好ましいが、多少のずれは差し支えない。その場合、平面同士の距離ｔは最小部の距離とする。また、この平面同士が対向する長さ（金属帯の搬送方向の長さ）は５ｍｍ以上、さらには１０ｍｍ以上、さらには５０ｍｍ以上であることが好ましい。金属帯を平滑に搬送しやすくなり、金属帯の幅の寸法精度をさらに高めやすい。
また、ガイド部材２ａ，２ｂの少なくとも一方は、例えば、端部から内部に向かう平行な複数の溝を備えたものとすることができる。後述するように、この形状にすることで、同軸の複数の回転刃をカッタスタンドとして用いる場合に、複数の回転刃が複数の溝に挿入された状態とすることで、回転刃の間まで金属帯をガイドできる。
【００１９】
また、ガイド機構は、金属帯の側面をガイドする部材（以下、側面ガイドという）を備えない構造であることが好ましい。この理由は、側面ガイドがあると、金属帯が側面ガイドと当接した場合に、金属帯の幅方向へ応力が付与されることになり、その結果、金属帯が元から保有している皺が集まり、板厚、幅方向ともに湾曲しやすくなり、図１０の状態でスリットされやすくなるので、幅寸法が規格外となりやすい。特に、金属帯が長手方向に蛇行している場合には、金属帯が側面のガイド部材によって幅方向で拘束されて金属帯の湾曲が平坦化されづらくなり、さらに幅寸法が規格外となりやすい。
側面ガイドがない構成、つまり、ガイド機構が金属帯の上下面だけをガイドする構成とすれば、金属帯が元から保有している皺を部分的に集中させづらく、板厚方向、幅方向への湾曲をさらに抑制でき、スリット後の金属帯の幅の誤差をさらに小さくしやすい。
【００２０】
また、図９に記載のスリッタ装置１０は、その他の構成として、張力調整ユニット９と、張力分離ユニット７等を備えている。
【００２１】
以下に、本発明の金属帯のスリッタ装置について、さらに詳細に説明する。
（カッタスタンド５）
図３は、ガイド機構２とカッタスタンド５の位置関係を示す模式図である。カッタスタンド５は、巻出機から巻出された金属帯１を、狭幅に条取り切断するものである。
図４は、図３のＢ−Ｂ断面における模式図である。Ｂ−Ｂ断面は、回転刃５ａ，５ｂの中心をそれぞれ通過する断面である。なお、各部を明示するため、各部の寸法は実際のものとは異なる。
カッタスタンド５は、金属帯１の両面側のそれぞれで、同軸で回転し、金属帯１を両面側から挟み込む構造である、複数の回転刃５ａ、５ｂを備える。具体的には、回転軸５ｃ，５ｄと、それに装着された回転刃５ａ，５ｂとを備える。回転刃５ａ，５ｂは、金属帯１を挟むように、上下に配されていて、それぞれの回転軸５ｃ，５ｄに対して、複数の回転刃５ａ，５ｂが所定の間隔で取り付けられている。そして、回転軸５ｃ，５ｄの間隔は、上下の複数の回転刃５ａ，５ｂが噛み合う間隔に調整されている。
【００２２】
回転軸５ｃ，５ｄは、接続するモータ（図示なし）により、所定の回転数にて回転することができる。そして、回転軸５ｃ，５ｄを回転することにより、複数の回転刃５ａ，５ｂは、図３の矢印方向に回転し、巻出機６から供給された金属帯１を挟み込み、切断することができる。これにより、カッタスタンド５は、金属帯１を所定の速度で送りつつ、狭幅に条取り切断することができ、かつ、切断された金属帯１を、巻取機８に供給することができる。
【００２３】
具体的には、図１０に示す回転刃５ａ１，５ｂ１と同様に、回転刃５ａ１と回転刃５ｂ１がかみ合ってこの間で金属帯１をスリットし、かつ、回転刃５ａ２と回転刃５ｂ２がかみ合ってこの間で金属帯１をスリットする。なお、本実施形態では、回転刃５ａ１と回転刃５ｂ２の間、回転刃５ａ２と回転刃５ｂ３の間には若干の隙間が形成されており、金属帯１は回転刃５ａ１や５ａ２の一端側でのみスリットされる。つまり、金属帯１は回転刃５ａ１の一端側から回転刃５ｂ２の一端側までの幅でスリットされる。
【００２４】
本実施形態のカッタスタンドは、複数の回転刃５ａが、ガイド部材２ａの複数の溝４に挿入されている。図１に示すように、この溝４は、ガイド部材の一端部から平行に複数形成される。そのため、溝４の間に形成されている凸部が回転刃５ａの間に挿入された状態となり、金属帯が回転刃５ａ，５ｂの断裁部の近くまでガイドされるので、金属帯の湾曲をさらに抑制でき、スリット後の金属帯の幅の誤差をさらに小さくしやすい。
【００２５】
（巻出機）
図９に示す巻出機６は、金属帯がコイル状に巻かれた金属帯のコイル体から金属帯１を、図の矢印方向に巻出すものである。巻出機６の回転軸は、接続する不図示のモータにより、所定の回転数にて回転することができる。これにより、巻出機１は、金属帯がコイル状に巻かれた金属帯のコイル体から金属帯１を巻出し、ガイド機構２を介してカッタスタンド５に供給することができる。
【００２６】
（巻取機）
図９に示す巻取機８は、カッタスタンド５に切断されたそれぞれの金属帯１を、コイル状に巻き取るものであり、複数の巻取軸を備えている。そして、それぞれの巻取軸は、接続する不図示のモータにより、図の矢印方向に所定の回転数にて回転することができる。
【００２７】
（張力調整ユニット，張力分離ユニット）
一般に金属帯の条取切断（スリット）において、回転刃の摩耗、破損防止のための負荷軽減、および切断面の残留応力低減のためには、回転刃への入り側の張力が弱い方が望ましい。その反面、金属帯を搬送するに際し、幅寸法不良の要因である蛇行や振動は、速度に比例し、かつ張力の平方根に反比例するため、生産性向上を図るべく増速するには巻取機の張力は極力強い方が望ましい。
そこで、本実施形態では、図９に示すように、巻出機６とガイド機構２との間には、巻出機６側に、金属帯１に一定張力を付与する張力調整ユニット９を配置し、ガイド機構２側に、入り側の一定張力と出側の張力とを隔てる張力分離ユニット７を配置した構成とすることができる。
この張力調整ユニット９及び張力分離ユニット７により、金属帯を破断しないが極力強い張力で巻出し、かつ回転刃直前まで搬送を行い、回転刃直前では破断も蛇行もしない極力弱い張力にまで減衰させて、回転刃に金属帯を挿材できる構造とすることができる。
【００２８】
本実施形態の張力調整ユニット９は、図９に示すように、図の上下に移動可能なロール９ａを備え、これにより金属帯１に荷重を付加することができる。
この張力調整ユニット９は、いわゆる、ダンサーロールユニットと呼ばれるものであり、巻出機６と共に制御され、巻出機６からの金属帯１の張力に変動が生じた際、巻出機６の回転数を調整できるようにしている。これにより、ロール９ａの上下位置が一定に保たれ、一定張力を付与した金属帯１が排出されるようにしている。
金属帯１を速く供給しても振動の発生を抑制できるので、金属帯１を高速に搬送でき、また精度よく条取り切断することに貢献できる。
【００２９】
張力分離ユニット７は、張力調整ユニット９に付与された入り側の一定張力と、出側の金属帯１の張力とを隔てるものであり、図９に示すように、張力分離ロール７ａを備えている。張力分離ロール７ａは、接続する不図示のモータにより、所定のトルクと回転数にて回転することができる。
この張力分離ユニット７は、いわゆる、ブライドルロールユニットと呼ばれるものである。張力分離ロール７ａを所定の位置に移動し、自身のトルクを調整することにより、張力分離ユニット７の入り側張力にブライドルユニットの推力を加える、または減じることで出側の金属帯１の張力を入り側張力に対し増幅または減衰させることができる。これにより、例えば、張力分離ユニット７の出側の張力を、入り側の張力より小さくすれば、張力分離ユニット７からガイド機構２に供給する金属帯１を、張力調整ユニット９から供給されたときよりも小さい張力にして供給することができる。
また、金属帯１の張力を小さくできるので、回転刃２ａ，２ｂに作用する反力を小さくすることができ、回転刃２ａ，２ｂの寿命を長くすることができる。
【００３０】
（金属帯）
金属帯として、例えば、厚みが７μｍ以上５０μｍ以下のアモルファス金属帯を用いることができる。
アモルファス金属帯は、長手方向に搬送する際、珪素鋼板等の一般圧延帯材と比較して、切断した幅精度の阻害要因となる、蛇行が発生しやすいという特徴がある。蛇行し易い理由は、アモルファス金属帯自体がキャンバーと幅方向の板厚偏差を持つためである。
本発明のスリッタ装置であれば、このような特徴をもつアモルファス金属帯であっても、スリット後の金属帯の幅の誤差を小さくすることが可能である。
なお、金属帯の厚さｗは、任意の５カ所での厚みの平均値で定義される。
なお、アモルファス金属帯が湾曲する原因は、例えば、金属帯の製造時に板厚偏差や応力偏差が生ずるためである。
【００３１】
アモルファス金属帯は、ストリップキャストや単ロール法等のロール急冷により鋳造した合金リボンを用いることができる。厚さが７μｍ以上であることにより、合金リボンの機械的強度が確保され、破断が抑制される。アモルファス金属帯の厚さは、９μｍ以上であることが好ましい。また、厚さが５０μｍ以下であることにより、合金リボンにおいて、安定したアモルファス状態が得られる。アモルファス金属帯の厚さは、３０μｍ以下であることがより好ましい。
また、鋳造したアモルファス金属帯は、幅が約３０ｍｍ〜１０００ｍｍのものを使用できる。幅が３０ｍｍ以上であると、大容量で実用的な変圧器が得られる。さらに、幅が１００ｍｍ以上であると、励磁電力を低減する必要性が増す。従って、励磁電力が低減されるアモルファス金属帯は、特に、幅１００ｍｍ以上の広幅の合金リボンとして好適である。一方、アモルファス金属帯の幅が１０００ｍｍ以下であると、生産性（製造適性）に優れる。
【００３２】
アモルファス金属帯は、含有される金属元素の中でＦｅ（鉄）が最も多い組成であれば特に制限はない。Ｆｅの他、更に、Ｓｉ（ケイ素）及びＢ（ホウ素）を含有することが好ましい。アモルファス金属帯は、例えば、上記の組成の合金を、融点以上に溶融し、単ロール法により、急冷凝固することで、長尺状の薄帯として得られたものを用いることができる。
【００３３】
例えば、アモルファス金属帯の組成としては、Ｆｅ、Ｓｉ、及びＢの総含有量を１００原子％としたときに、Ｆｅの含有量が７８原子％〜８３原子％であり、Ｓｉの含有量が３原子％〜１０原子％であり、Ｂの含有量が１０原子％〜１５原子％であり、残部が不純物からなるＦｅ基アモルファス合金が挙げられる。Ｆｅの含有量が７８原子％以上であると、合金リボンの飽和磁束密度がより高くなるので、合金リボンを用いて製造される磁心のサイズの増加又は重量の増加がより抑制される。Ｆｅの含有量が８３原子％以下であると、合金のキュリー点の低下及び結晶化温度の低下がより抑制されるので、磁心の磁気特性の安定性がより向上する。
【００３４】
また、ナノ結晶化が可能なアモルファス金属帯を用いることもできる。ナノ結晶化が可能なアモルファス金属帯として、例えば、一般式：（Ｆｅ１−ａＭａ）１００−ｘ−ｙ−ｚ−α−β−γＣｕｘＳｉｙＢｚＭ’αＭ”βＸγ（原子％）により表される組成の合金を使用することができる。
上記組成において、ＭはＣｏ及び／又はＮｉであり、Ｍ’はＮｂ，Ｍｏ，Ｔａ，Ｔｉ，Ｚｒ，Ｈｆ，Ｖ，Ｃｒ，Ｍｎ及びＷからなる群から選ばれた少なくとも１種の元素、Ｍ”はＡ１，白金族元素，Ｓｃ，希土類元素，Ｚｎ，Ｓｎ，Ｒｅからなる群から選ばれた少なくとも１種の元素、ＸはＣ、Ｇｅ、Ｐ、Ｇａ、Ｓｂ、Ｉｎ、Ｂｅ、Ａｓからなる群から選ばれた少なくとも１種の元素であり、ａ，ｘ，ｙ，ｚ，α，β及びγはそれぞれ０≦ａ≦０．５，０．１≦ｘ≦３，０≦ｙ≦３０，０≦ｚ≦２５，５≦ｙ＋ｚ≦３０、０≦α≦２０，０≦β≦２０及び０≦γ≦２０を満たす。
【００３５】
次に、本実施形態のスリッタ装置の動きについて、金属帯１の移動順にしたがって説明する。
まず、巻出機６において、所定の回転数にて回転し、金属帯がコイル状に巻かれた金属帯のコイル体から金属帯１を巻出し、張力調整ユニット４に供給する。
【００３６】
次に、張力調整ユニット９において、ロール９ａにより金属帯１に荷重をかけ、金属帯１に一定張力を付与する。その際、金属帯１の張力の変動に応じて、巻出機６の回転数を調整し、ロール９ａの上下位置を一定に保って、上記一定張力を維持するようにする。そして、一定張力を付与した金属帯１を、張力分離ユニット７に供給する。
張力調整ユニット９を備えることにより、金属帯１に対して適正な一定張力を付与することができる。これにより、金属帯１の振動の振幅を小さくすることができ、金属帯１を巻出機６から高速に巻出しても、切断精度に大きく影響する振動の発生を抑制しやすくなる。
【００３７】
次に、張力分離ユニット７において、張力分離ロール７ａのトルクと回転数を、不図示のモータにより調整し、張力分離ユニット７前後の張力を分離する。
張力分離ユニット７は、巻出機６とガイド機構２の間のガイド機構２側に配している。これにより、張力分離ユニット７とカッタスタンド５との間で金属帯１が新たに振動することを抑制できる。
【００３８】
次に、ガイド機構２は、水平かつ平行に設置された板状のガイド部材２ａ，２ｂにより、金属帯１をガイドする。ガイド部材２ａ，２ｂは、どちらも平面部分を有する。平面部分は、金属帯の幅よりも広い幅を持つ。この平面部分が金属帯を上下方向から挟むように、ガイド部材２ａ，２ｂが固定される。なお、側面ガイドは設置していない。
ガイド部材２ａ，２ｂは、どちらも、複数の部材が組み合わされたものでもよいし、一体のものでもよい。
ガイド部材２ａ，２ｂの平面部分の距離ｔは、金属帯の厚みｗに対し、ｗ＜ｔ≦１４×ｗの範囲に設定される。この範囲とすべき理由は前記の通りである。なお、実験結果については後述する。
【００３９】
特に、アモルファス金属帯は、皺を持った形状のものが多く、スリットの際に湾曲して幅寸法の誤差が発生しやすくなる。上記のガイド機構を備えたスリッタ装置は、アモルファス金属帯の条取り切断に対して有効な装置となる。
【００４０】
次に、カッタスタンド５の複数の回転刃５ａ，５ｂにより、金属帯１を狭幅の金属帯になるよう条取り切断する。そして、条取り切断した金属帯１を、巻取機８に供給する。
【００４１】
最後に、巻取機８において、複数の巻取軸を、不図示のモータにより、所定の回転数にて回転し、条取り切断したそれぞれの金属帯１をコイル状に巻取る。
【００４２】
以上、本発明のスリッタ装置について、実施形態を用いて説明してきたが、本発明は、上記実施形態に限定されるものではない。特許請求の範囲に記載された技術範囲において、その内容を変更することが可能である。
【００４３】
例えば、上記実施形態では、条取り切断する金属帯として、アモルファス金属帯を例に挙げたが、本発明の実施形態のスリッタ装置は、アモルファス金属帯以外の金属帯の条取り切断にも用いることができる。
【００４４】
（実施例）
以下に、上記の本発明の実施形態のスリッタ装置を用いてアモルファス金属帯の条取り切断を行った例を示す。
金属帯１として、日立金属社製のアモルファス金属帯（品名：2605SA1）を用いた。アモルファス金属帯の幅は、切断前では、１７０ｍｍであった。金属帯の厚さｗは２５μｍであった。
回転刃５ａ，５ｂを刃組みし、条取切断した後の金属帯の狙い幅を、１９．９７０ｍｍとした。具体的には、例えば図１０の構造で言えば、回転刃５ａ１と回転刃５ｂ１が接する位置から、回転刃５ａ２と回転刃５ｂ２が接する位置までの幅を１９．９７０ｍｍとした。同様に、同じ条件で金属帯が８条にスリットされるよう、８個の回転刃５ａと、９個の回転刃５ｂを、回転軸５ｃ、５ｄに同軸に設置した。そして、図４に示すように、この回転軸５ｃ、５ｄを、回転軸が水平方向かつ平行に並ぶようにして配置した。回転軸５ｃ，５ｄの間隔は、上下の回転刃５ａ，５ｂが噛み合う間隔に調整した。
【００４５】
ガイド部材２ａ，２ｂの平面同士の距離ｔは０．２５ｍｍとした。この距離ｔは、金属帯の厚さｗに対してｔ＝１０×ｗである。なお、ガイド部材２ａは金属帯の搬送方向の長さが３８０ｍｍであり、ガイド部材２ｂの長さが２８０ｍｍであり、平面同士が対向する長さ（金属帯の搬送方向の長さ）は２７０ｍｍである。ここでは、図２に示すように、金属帯の進行において、最初にガイド部材２ｂが存在し、その後ガイド部材２ａが存在して、ガイド部材２ｂの途中から金属帯がガイド部材２ａ，２ｂで挟まれる構造としている。また、ガイド部材２ａは、回転刃５ａが挿入される溝４が形成されている。
この条件で、上記の本発明の実施形態のスリッタ装置を用いてアモルファス金属帯の条取り切断を行った。図５は、条取り切断を行った金属帯のスリット幅を、長手方向に０．１ｍｍ間隔で１５点測定した結果である。得られた金属帯のスリット幅は、最少で１９．９７９ｍｍ、最大で１９．９９０ｍｍであった。スリット幅の誤差は、所望の幅に対して最大でも０．０２０ｍｍであり、極めて小さい値であった。
【００４６】
次に、ガイド部材の平面同士の距離ｔを０．３０ｍｍとした。この距離ｔは、金属帯の厚さｗに対してｔ＝１２×ｗである。
この条件で、上記の実施形態のスリッタ装置を用いてアモルファス金属帯の条取り切断を行った。図６は、図５と同様に、条取り切断を行った金属帯のスリット幅を、長手方向に０．１ｍｍ間隔で１５点測定した結果である。得られた金属帯のスリット幅は、最少で１９．９７７ｍｍ、最大で１９．９９２ｍｍであった。誤差は、所望のスリット幅に対して最大でも０．０２２ｍｍであり、やはり極めて小さい値であった。
【００４７】
また、ガイド部材の平面同士の距離ｔを０．２５ｍｍ（ｔ＝１０×ｗ）、０．３０ｍｍ（ｔ＝１２×ｗ）、０．４０ｍｍ（ｔ＝１６×ｗ）、０．５０（ｔ＝２０×ｗ）ｍｍとし、８条に条取切断した後の各金属帯の幅を測定した。スリット幅は、長手方向に０．１ｍｍ間隔で１５点測定したスリット幅で、最大となった値をプロットした。
その結果、距離ｔを０．４０ｍｍ（ｔ＝１６×ｗ）、０．５０（ｔ＝２０×ｗ）ｍｍとした場合は、端部から７条目の金属帯の幅が、２０．０２０ｍｍを超え、所望のスリット幅に対して、０．０５ｍｍ以上も広い寸法となった。
【符号の説明】
【００４８】
１：金属帯、２：ガイド機構、３：ギャップ、４：溝、５：カッタスタンド、６：巻出機、７：張力分離ユニット、８：巻取機、９：張力調整ユニット、１０：スリッタ装置
【図１】
2019059070.tif 000003
【図２】
2019059070.tif 000004
【図３】
2019059070.tif 000005
【図４】
2019059070.tif 000006
【図５】
2019059070.tif 000007
【図６】
2019059070.tif 000008
【図７】
2019059070.tif 000009
【図８】
2019059070.tif 000010
【図９】
2019059070.tif 000011
【図１０】
2019059070.tif 000012
【図１１】
2019059070.tif 000013
【国際調査報告】
2019059070.tif 000014
2019059070.tif 000015